(57)【特許請求の範囲】
【請求項１】
同一面に延在し相互に継目ギャップ（Ｆ）によって分離された２つの構造コンクリート要素の連接・圧力分散要素である横方向力ロッド（１）と、横方向力ロッド（１）と連接される支持スリーブ（２）と、支持スリーブ（２）を支持する少なくとも１つの支持ケージ（１１）と、橋かけされる継目ギャップ（Ｆ）の両側面上に互いに対向して配置された前面板（３）とを有する横方向力ロッド支持体において、
前記継目ギャップ（Ｆ）の両側面に配置された前面板（３）がストリップ（４）と共に、継目ギャップ（Ｆ）によって分離された２つの構造コンクリート要素を連接する方向に配置されたループを形成し、このループが支持ケージ（１０、１１）を成し、この場合、一方の支持ケージ（１０）が横方向力ロッド（１）を支持しまた他方の支持ケージ（１１）が前記支持スリーブ（２）を支持し、
それぞれの前面板（３）がストリップ（４）と共にこの前面板（３）を底面とするほぼ台形のループを形成し、このようにして閉鎖力伝達システムを形成する
事を特徴とする横方向力ロッド支持体。
【請求項２】
横方向力ロッド（１）を支持する支持ケージ（１０）がストリップ（４）において横方向力ロッド（１）に連接されている事を特徴とする請求項１に記載の横方向力ロッド支持体。
【請求項３】
ストリップ（４）が複数の通気孔（９）を有する事を特徴とする請求項１に記載の横方向力ロッド支持体。
【請求項４】
前記通気孔（９）が二つの台形のループの各々の斜方向に延在する二つの側面（６）の中に切り出される事を特徴とする請求項３に記載の横方向力ロッド支持体。
【請求項５】
支持スリーブ（２）が対応の支持ケージ（１１）の前面板（３）に溶接される事を特徴とする請求項１に記載の横方向力ロッド支持体。
【請求項６】
支持スリーブ（２）が対応の支持ケージ（１１）の前面板（３）を貫通し、支持スリーブ（２）の端部面が継目ギャップ（Ｆ）に面し対応の支持ケージ（１１）の前面板（３）の継目ギャップ（Ｆ）に面する面と同一面にある事を特徴とする請求項５に記載の横方向力ロッド支持体。
【請求項７】
対応の支持ケージ（１１）の前面板（３）は支持スリーブ（２）の挿通される孔（３０）を有する事を特徴とする請求項６に記載の横方向力ロッド支持体。
【請求項８】
前面板（３）は台形ループの底辺の長さより長く、また前面板（３）は自由隅部区域に釘孔（３３）を有する事を特徴とする請求項１に記載の横方向力ロッド支持体。
【発明の詳細な説明】
【０００１】
【発明の属する技術分野】
本発明は横方向力ロッドと、横方向力ロッド支持スリーブと、前記支持スリーブを支持する少なくとも１つの支持ケージと、橋かけされる継目ギャップの各側面に配置された前面板とを有する横方向力ロッド支持体に関するものである。
【０００２】
【従来の技術と発明が解決しようとする課題】
通常の横方向力ロッド１は、同一面に延在し相互に継目によって分離された２つの構造コンクリート要素の連接・圧力分散要素である。横方向力ロッドは欧州公開特許第ＥＰ−Ａ−０１１９６５２号から公知であって、この横方向力ロッド支持体は横方向力ロッドと、横方向力ロッド支持スリーブと、支持スリーブを支持する支持ケージとから成る。さらに、クロス形に配置された４本のブラケットから成る前面板が橋かけされる継目ギャップの一方の側面上に配置される。この前面板は単に支持スリーブの収容されるコンクリート平板を構築する際に横方向力ロッド支持スリーブを型材上に保持するために使用される。支持ケージは多数の強化鋼ワイヤの閉鎖ループから成り、これらのワイヤは内部に突出するように曲げられたフックを備え、この支持ワイヤの中に支持スリーブが着座する。従ってループは継目の延在方向と平行な面の中に配置される。
【０００３】
他の通常の横方向力ロッド支持体が欧州公開特許第ＥＰ−Ａ−０，１９３，４９４号に開示されている。この実施態様においては、横方向力ロッド支持スリーブの支持は支持ケージとは無関係である。すなわち取付けシューが前面型材に固着され、この型材の中に横方向力ロッド支持スリーブに固着された前面板が押し込まれる。高さ調節自在の支持バーが横方向力ロッド支持スリーブの閉鎖端部に備えられ、これにより支持スリーブがコンクリートの中に包囲される際にこの支持スリーブを正確に支持する。前面板はコンクリート中の設置に際しての支持機能のみを示す。別個の支持ケージが適当な鋼リングを有し、これらのリングの中にスリーブと横方向力ロッドとが支持される。
【０００４】
前記の横方向力ロッド支持体システムのほか、その他多数の通常の横方向力ロッド支持体が公知である。横方向力ロッド支持体に関する最も重要な問題点の１つは、発生する力が問題なく伝達されるように高性能鋼が使用されるが、横方向力ロッドまたは横方向力ロッド支持スリーブの区域でコンクリートの圧力限界が著しく超過される事にある。この問題点は膨張継目の走行方向において横方向力ロッドの数を増大する事によって解決する事ができるが、その結果として著しくコストを増大させる。
【０００５】
さらにプフリューガ・アンド・パートナーズ・カンパニーの通常システムが公知である。このシステムにおいては、それぞれ２つの横方向力ロッドが垂直に上下に配置されている。テストに際して、２つの横方向力ロッドスリーブの走行方向に対して横方向のグルーブの中に、横方向力ロッドの走行方向に対して垂直にアンカーロッドを配置し、これらのロッドを相互に連接する事によってコンクリートの圧力限界超過のリスクが低減された。しかしこの方法によって得られる表面増大は比較的小であるので、前記の問題点は少ししか軽減されない。
【０００６】
さらに公知のアッシュバンデン・カンパニーのシステムにおいては、それぞれの横方向力ロッドが一方の側においてカップの中に保持され、このカップの中に上質コンクリートが注入される。カップ内部においてコンクリートの許容圧力限界が超過されるが、カップに対する力伝達が生じ、カップの上方に延在するコンクリートはもはや許容圧力限界が超過されない程度に解除されている。しかし、設置中の横方向力ロッドまたは横方向力ロッド支持スリーブのシーティングの問題がこの構造において相当に増大される。
【０００７】
【課題を解決するための手段】
前記の問題点を避ける事のできる横方向力ロッドと、横方向力ロッド支持スリーブと、前記支持スリーブを支持する少なくとも１つの支持ケージと、橋かけされる継目ギャップの両側面に配置された前面板とを有する横方向力ロッド支持体を提供するにある。
【０００８】
この目的は下記明細書および請求の範囲に記載の横方向力ロッド支持体によって達成される。
【０００９】
以下、本発明を図面に示す実施例について詳細に説明するが本発明はこれに限定されない。
【００１０】
【発明の実施の形態】
膨張継目Ｆは、相互に連結される２枚のコンクリート平板Ｂの対向面に配置された２枚の平行前面板３の間に配置される。横方向力ロッド支持体全体が付図において非設置状態で図示されているので、２枚のコンクリート平板Ｂは破線のみで示されている。横方向力ロッド支持体は２つの支持ケージ１０、１１を含み、これらの支持ケージは膨張継目Ｆを橋かけする横方向力ロッド１のみによって相互に連結されている。横方向力ロッド１は図１の左側に示すように支持ケージ１０の中に支持され、また横方向力ロッドスリーブ２は図１の右側に示すように支持ケージ１１の中に支持されている。横方向力ロッドスリーブ２（下記において簡単に支持スリーブ２と呼ぶ）の前部が断面で示され、その後部が平面図で示されている。
【００１１】
各支持ケージ１０、１１は相互に固着された２部分から成る。すなわち平行前面板３と鋼材からなるストリップである鋼ストリップ４とから成る。２つの平行前面板３はそのサイズが同一である。図４に図示のように各平行前面板３の長さｌはこれらの平行前面板３が設置されたコンクリート平板Ｂの厚さより小である。しかし望ましくはこれらの平行前面板３は実際上、少なくともコンクリート平板Ｂの厚さに対応する程度に長く製造される。平行前面板３の幅は図４においてサイズｂによって示されている。鋼ストリップ４が平行前面板３の上に固着される。鋼ストリップ４は継目Ｆから反対側の平行前面板３の側面上に固着される。固着は好ましくは溶接によって実施される。平坦状態の鋼ストリップ４が図３に示されている。鋼ストリップ４の幅ｂ’は平行前面板３の幅ｂより少し短い。図３において鋼ストリップ４の長さはｌ’で示されている。鋼ストリップ４の中心から通し孔５が打ち抜かれ、通し孔の直径は、ストリップ４が支持ケージ１０の一部を成すかまたは支持スリーブ２を支持する支持ケージ１１の一部を成すかに従って横方向力ロッド１の直径または支持スリーブ２の直径に対応する。
【００１２】
好ましい実施態様において、前面板３と鋼ストリップ４が側面から見てほぼ台形のループを形成する。従って、鋼ストリップ４は、同一長さの相互の方に延在する２つの脚６を有し、これらの脚は前面板３に対して平行に延在する部分７によって相互に連結されている。それぞれの部分７の中心に通し孔５が配置されている。鋼ストリップ４の各脚６の中に数個の通気孔９が切り出されている。各通気孔９は、脚６がコンクリートの中に埋込まれた時に脚の下方に空気が捕らえられる事を防止する。
【００１３】
鋼ストリップ４は前面板３に対して、図１に図示のように支持ケージ１０の脚６の縦方向縁にそって溶接シーム８によって連接される。しかし、脚６の末端に折り込み部分１２を備えて、前面板３と鋼ストリップ４との連接をスポット溶接で実施する事ができる。
【００１４】
横方向力ロッド１は、鋼ストリップ４の中心部分７の通し孔５のサイズに正確に一致するそのサイズと対応の前面板３中の横方向力ロッド１のサイズに正確に一致するサイズの通し孔とによって支持ケージ１の中に噛み合わせ保持される。しかしまた横方向力ロッド１を鋼ストリップ４または前面板３またはその両方の上に追加的に固着させる事ができる。このような追加的固着は例えば接着剤またはスポット溶接によって実施する事ができる。
【００１５】
支持ケージ１１上の支持スリーブ２の固着は、好ましくは支持スリーブ２が前面板３を通して継目間隙Ｆ側に向かって共面を成すように実施される。これは図２において最も明瞭に図示されている。そのため対応の通し孔３０が前面板３から打ち出される。その結果、少し円錐形の孔が得られ、その中にスリーブ２が押し込まれる。このようにして円錐形先細環状ギャップ３１が支持スリーブ２と前面板３との間に残され、このギャップが支持スリーブ２と前面板３との溶接を容易にする。この場合、継目ギャップＦと反対側の側面に周方向溶接シームが形成される。この溶接シームそのものが図２において３２で表示されている。支持スリーブ２は鋼ストリップ４を単に通過させられて、これに固着されない。
【００１６】
【発明の効果】
本発明は構造簡単であるのみならず、静力学的にまたは構造的に特に有利である。前面板３と鋼ストリップ４とによって形成される閉鎖ループの故に、この構造は静力学的に重応力をかけられる事ができる。さらに横方向力ロッド１または支持スリーブ２の圧力がそれぞれの前面板３および鋼ストリップ４の中に最適導入される。従って、横方向力ロッド１または支持スリーブ２の縦方向断面が支持面として支持作用するのみならず、鋼ストリップ４または前面板３の幅全体が支持面として支持作用を生じるので、許容コンクリート圧を超えない。前面板３の幅ｂまたは鋼ストリップ４の幅ｂ’はコンクリート平板Ｂの厚さ、また従って伝達される荷重に対応して決定される。
【００１７】
最後に前面板３は、その長さｌが前記台形ループの基部より長く、従って前面板３の自由隅部に釘孔３３が明けられるようなサイズを有する。この構造は、打ち込まれるコンクリート平板Ｂの縁上に支持ケージ１１を取付ける作業を簡単にする。
【図面の簡単な説明】
【図１】本発明の好ましい実施態様による非設置状態の横方向力ロッド支持体全体の側面図
【図２】本発明の好ましい実施態様による横方向力ロッド支持スリーブを支持する支持ケージの部分断面図
【図３】本発明の好ましい実施態様によるステンレス鋼ストリップの正面図
【図４】本発明の好ましい実施態様による前面板の平面図
【符号の説明】
Ｂ  コンクリート平板
Ｆ  継目ギャップ
１  横方向力ロッド
２  支持スリーブ
３  前面板
４  ストリップ
５  通し孔
６  ストリップの脚
７  ストリップの中心部分
８  溶接シーム
９  通気孔
１０、１１  支持ケージ
３０  通し孔
３１  ギャップ
３２  シーム
３３  釘孔
【図１】
0004115554.tif 000002
【図２】
0004115554.tif 000003
【図３】
0004115554.tif 000004
【図４】
0004115554.tif 000005